(57)【特許請求の範囲】
【請求項１】
同軸に配された第１の回動操作体及び第２の回動操作体と、
該第２の回動操作体に同軸に連設された軸体と、
該軸体の回動方向に並べて設けられた複数の凹部又は凸部をそれぞれ異なる数有し、前記軸体の軸方向に並設された複数の係合部と、
前記第１の回動操作体の回動位置に応じて前記軸体の各係合部に対してそれぞれ出没し、突出により前記係合部の凹部又は凸部に係合される複数の被係合部と、
前記第１の回動操作体に同軸に連設された筒体と、
該筒体内に配設され、前記被係合部を前記係合部に対して出没可能に保持する保持部と、
前記筒体の内周面に形成され、前記筒体の回動位置に応じて前記保持部に保持された前記被係合部を突出させる突起部と
を備え、
前記第１の回動操作体の回動位置に応じて、係合する前記係合部及び被係合部の組み合わせが変化するようにしてあること
を特徴とする操作装置。
【請求項２】
前記第１の回動操作体の回動位置に応じて、前記係合部に対して突出する前記被係合部の数が変化するようにしてあること
を特徴とする請求項１に記載の操作装置。
【請求項３】
同軸に配された第１の回動操作体及び第２の回動操作体と、
該第２の回動操作体に同軸に連設された軸体と、
該軸体の回動方向に並べて設けられた複数の凹部又は凸部を有する係合部と、
前記第１の回動操作体の回動位置に応じて前記軸体の係合部に対して出没し、突出により前記係合部の凹部又は凸部に係合される複数の被係合部と、
前記第１の回動操作体に同軸に連設された筒体と、
該筒体内に配設され、前記被係合部を前記係合部に対して出没可能に保持する保持部と、
前記筒体の内周面に形成され、前記筒体の回動位置に応じて前記保持部に保持された前記被係合部を突出させる突起部と
を備え、
前記第１の回動操作体の回動位置に応じて、前記係合部に対して突出する前記被係合部の数が変化するようにしてあること
を特徴とする操作装置。
【請求項４】
前記被係合部を没入方向へ付勢する付勢手段を更に備えること
を特徴とする請求項１乃至請求項３のいずれか１つに記載の操作装置。
【請求項５】
前記第２の回動操作体の回動を検知する回動検知手段を更に備えること
を特徴とする請求項１乃至請求項４のいずれか１つに記載の操作装置。
【請求項６】
所定間隔を隔てて前記回動方向に複数並べて設けられ、発光部及び受光部を有して該発光部が発する光の前記受光部による受光の有無により遮光を検知する遮光検知手段と、
前記軸体に前記所定間隔と異なる間隔で複数設けられ、前記軸体の回動に伴って前記発光部が発する光を順に遮光する遮光部と
を備え、
前記回動検知手段は、複数の前記遮光検知手段が検知した遮光のタイミングに応じて、前記第２の回動操作体の回動を検知するようにしてあること
を特徴とする請求項５に記載の操作装置。
【請求項７】
前記筒体の回動の位置を検知する回動位置検知手段を更に備えること
を特徴とする請求項１乃至請求項６のいずれか１つに記載の操作装置。
【請求項８】
所定間隔を隔てて前記回動方向に複数並べて設けられ、発光部及び受光部を有して該発光部が発する光の前記受光部による受光の有無により遮光を検知する遮光検知手段と、
前記筒体に複数設けられ、前記発光部が発する光を遮光する遮光部と
を備え、
前記回動位置検知手段は、複数の前記遮光検知手段が検知した遮光の組み合わせに応じて、前記第１の回動操作体の回動位置を検知するようにしてあること
を特徴とする請求項７に記載の操作装置。
【発明の詳細な説明】
【技術分野】
【０００１】
本発明は、例えば車輌に搭載された種々の装置（カーナビゲーション装置、オーディオ装置、エアーコンディショナー（以下、エアコンという）、テレビジョン装置又はバックカメラ等）の操作に用いることができ、配設のために大きなスペースを必要としない操作装置及び操作システムに関する。
【背景技術】
【０００２】
近年、車輌には種々の装置が搭載されている。これらの装置を動作させるためのスイッチ又はボタン等を有する操作装置は、運転席の近傍、例えばインストルメントパネルなどに配設されるが、車輌に搭載される装置の増加及び装置の多機能化に伴って、多くの機能を操作するためにはより多くのスイッチ及びボタン等が必要となり、配設スペースの不足が問題となっている。このため、少数のスイッチで多くの機能を操作することができる操作装置が求められている。
【０００３】
一方で、例えば円板型の回動体をユーザが回動操作することで機能操作を行うことができる操作装置、所謂ダイヤルスイッチが広く利用されている。ダイヤルスイッチは、例えばオーディオ装置での音量調節又はエアコンでの温度調節等に利用することができる。また、ダイヤルスイッチは、ユーザによる回動操作が行われた際に、回動体の回動に伴ってクリック感を生じさせるようにしてあるものが多く、これによってユーザが回動体の回動量を直感的に把握することができるという利点がある。なお、クリック感とは、ダイヤルスイッチの回動操作に伴って生じる「カチ、カチ」という音、及びこのときに生じる振動等を含むものである。
【０００４】
上述の配設スペースが不足する問題を解決するために、一つのダイヤルスイッチを用いてユーザが複数の機能操作を行うことができる操作装置が検討され実用化され始めている。例えば、エアコンを操作するための操作装置が、"温度調整"、"風量調整"又は"風向調整"等の各モードを切り替える切替スイッチをダイヤルスイッチと共に備えて、ユーザが切替スイッチを操作していずれかのモードに切り替えた後にダイヤルスイッチを回動操作することによって各モードに対応する機能の調整を行うことができる構成とすることができる。
【０００５】
しかしながら、このような操作装置において、従来はダイヤルスイッチの回動操作に伴うクリック感は一定であり、切替スイッチによりモードを切り替えた場合であってもクリック感を変更することはできなかった。このため、温度調整及び風量調整のように十段階以上の多段階で調整を行う場合と、風向のように数段階程度で調整を行う場合とで、ユーザが回動操作を行った際に生じるクリック感が同じであり、良好な操作性を得られないという問題があった。
【０００６】
特許文献１においては、同軸上に複数のダイヤルが配置され、簡単な構成でそれぞれ異なるクリック感を実現することができるダイヤルスイッチが提案されている。このダイヤルスイッチは、同軸の回転中心を有する第１のダイヤル及び第２のダイヤルを備えている。第１のダイヤルは、ユーザの操作により回転する第１のダイヤル操作部材と、この第１のダイヤル操作部材と一体に回転するカム部材と、カム部材のカム形状に沿って動く移動部材と、この移動部材をカム部材へ付勢する第１の付勢部材を有し、カム部材及び移動部材によりクリック感を発生させる。第２のダイヤルは、ユーザの操作により回転する第２のダイヤル操作部材と、この第２のダイヤル操作部材と一体に回転し、ダイヤルスイッチを固定する固定部材に形成された凹凸部に当接する第２の付勢部材とを有し、凹凸部及び第２の付勢部材によりクリック感を発生させる。
【０００７】
特許文献２においては、複数の電子機器の中から所望の機器を選択して操作することができると共に、選択した機器に応じてクリック感を変更することができる操作ユニットが提案されている。この操作ユニットでは、押しボタンを押圧操作した場合に、中央部で枢支されたばね体の一端側が押し下げられて他端側が押し上げられ、ばね体の他端側に配された球体部の上方球面部がクリック溝の形成された円板部材の下面に当接する構成としてある。円板部材は回転操作のための操作つまみと同軸に配してあり、ばね体の球体部と円板部材のクリック溝が当接することによって、操作つまみの回転操作に伴ってクリック感が生じる。更に、各機器の選択に対応付けられた複数の押しボタンと、各押しボタンにそれぞれ押し下げられる複数のばね体と、各ばね体に設けられた球体部がそれぞれ当接する複数の円板部材とを備えて、各円盤部材のクリック溝の数又は形状等が異なる構成とすることにより、操作対象の機器毎に、操作つまみを回転操作した際に生じるクリック感を変更することができる。
【特許文献１】特開平９−４３７０４号公報
【特許文献２】特開２００６−２２２００３号公報
【発明の開示】
【発明が解決しようとする課題】
【０００８】
特許文献１に記載のダイヤルスイッチは、同軸に配された第１のダイヤル及び第２のダイヤルに対してそれぞれ異なるクリック感を付与することができるが、各ダイヤルのクリック感を変更することはできない。よって、例えばこのダイヤルスイッチをエアコンの操作に用いて、第２のダイヤルにてモード切り替えの操作を受け付け、第１のダイヤルにて各モードの機能調整の操作を受け付ける構成とした場合、モードを変更しても第１のダイヤルのクリック感は同じであるため、上述のように良好な操作を得られないという問題がある。また、このダイヤルスイッチは部品点数が多く、構造が複雑であるという問題もある。
【０００９】
また特許文献２に記載の操作ユニットでは、操作対象の機器毎にクリック感を変更することができるが、操作対象の機器を選択するための押しボタンを操作つまみの周辺に複数配設する必要があるため、操作ユニットのサイズが大きく、大きな配設スペースを必要とする。このため、車輌のインストルメントパネルなどの限られたスペースに配設することは容易ではない。よって、上述の配設スペースが不足する問題を解決し得るものではない。
【００１０】
本発明は、斯かる事情に鑑みてなされたものであって、その目的とするところは、第１の回動操作体に対する操作によって第２の回動操作体を操作した際に生じるクリック感を変更することができ、例えば第１の回動操作に対する操作で複数の機能を切り替えて、第２の回動操作に対する操作で異なるクリック感での機能の調整操作を行うことができると共に、部品点数が少なく、小さなスペースに容易に配設することができる小型で多機能な操作装置を提供することにある。
【課題を解決するための手段】
【００１１】
本発明に係る操作装置は、同軸に配された第１の回動操作体及び第２の回動操作体と、該第２の回動操作体に同軸に連設された軸体と、該軸体の回動方向に並べて設けられた複数の凹部又は凸部をそれぞれ異なる数有し、前記軸体の軸方向に並設された複数の係合部と、前記第１の回動操作体の回動位置に応じて前記軸体の各係合部に対してそれぞれ出没し、突出により前記係合部の凹部又は凸部に係合される複数の被係合部と、前記第１の回動操作体に同軸に連設された筒体と、該筒体内に配設され、前記被係合部を前記係合部に対して出没可能に保持する保持部と、前記筒体の内周面に形成され、前記筒体の回動位置に応じて前記保持部に保持された前記被係合部を突出させる突起部とを備え、前記第１の回動操作体の回動位置に応じて、係合する前記係合部及び被係合部の組み合わせが変化するようにしてあることを特徴とする。
【００１２】
また、本発明に係る操作装置は、前記第１の回動操作体の回動位置に応じて、前記係合部に対して突出する前記被係合部の数が変化するようにしてあることを特徴とする。
【００１３】
また、本発明に係る操作装置は、同軸に配された第１の回動操作体及び第２の回動操作体と、該第２の回動操作体に同軸に連設された軸体と、該軸体の回動方向に並べて設けられた複数の凹部又は凸部を有する係合部と、前記第１の回動操作体の回動位置に応じて前記軸体の係合部に対して出没し、突出により前記係合部の凹部又は凸部に係合される複数の被係合部と、前記第１の回動操作体に同軸に連設された筒体と、該筒体内に配設され、前記被係合部を前記係合部に対して出没可能に保持する保持部と、前記筒体の内周面に形成され、前記筒体の回動位置に応じて前記保持部に保持された前記被係合部を突出させる突起部とを備え、前記第１の回動操作体の回動位置に応じて、前記係合部に対して突出する前記被係合部の数が変化するようにしてあることを特徴とする。
【００１５】
また、本発明に係る操作装置は、前記被係合部を没入方向へ付勢する付勢手段を更に備えることを特徴とする。
【００１６】
また、本発明に係る操作装置は、前記第２の回動操作体の回動を検知する回動検知手段を更に備えることを特徴とする。
【００１７】
また、本発明に係る操作装置は、所定間隔を隔てて前記回動方向に複数並べて設けられ、発光部及び受光部を有して該発光部が発する光の前記受光部による受光の有無により遮光を検知する遮光検知手段と、前記軸体に前記所定間隔と異なる間隔で複数設けられ、前記軸体の回動に伴って前記発光部が発する光を順に遮光する遮光部とを備え、前記回動検知手段は、複数の前記遮光検知手段が検知した遮光のタイミングに応じて、前記第２の回動操作体の回動を検知するようにしてあることを特徴とする。
【００１８】
また、本発明に係る操作装置は、前記筒体の回動の位置を検知する回動位置検知手段を更に備えることを特徴とする。
【００１９】
また、本発明に係る操作装置は、所定間隔を隔てて前記回動方向に複数並べて設けられ、発光部及び受光部を有して該発光部が発する光の前記受光部による受光の有無により遮光を検知する遮光検知手段と、前記筒体に複数設けられ、前記発光部が発する光を遮光する遮光部とを備え、前記回動位置検知手段は、複数の前記遮光検知手段が検知した遮光の組み合わせに応じて、前記第１の回動操作体の回動位置を検知するようにしてあることを特徴とする。
【００２０】
本発明においては、同軸に配された第１の回動操作体及び第２の回動操作体により操作装置がユーザの回動操作を受け付ける。例えば、第１の回動操作体の回動位置に応じて複数の機能の選択を行うと共に、選択した機能について調整又は設定等を第２の回動操作体の回動操作により行う構成とすることができる。
また、第２の回動操作体に同軸に連設された軸体に、軸体の回動方向に並べて設けられた複数の凹部又は凸部を有する係合部を形成しておき、この係合部に対して出没可能に設けられた被係合部を第１の回動操作体の回動位置に応じて出没させる構成とする。よって、第１の回動操作体に対する回動操作により被係合部は突出した状態で、第２の回動操作体が回動操作されて軸体が回動した場合には、回動方向に並べて設けられた係合部の凹部又は凸部に被係合部が順に係合され、クリック感を生じさせることができる。即ち、第１の回動操作体の回動位置によりクリック感の発生の可否を変更することができる。
なお、クリック感とは、係合部の凹部又は凸部と被係合部との係合によって生じる「カチ、カチ」という音、及びこのときに生じる振動等を含むものである。
【００２１】
例えば、異なる数の凹部又は凸部をそれぞれ有する複数の係合部を軸体の軸方向に並設し、複数の被係合部を備えて、各被係合部が各係合部に対してそれぞれ出没する構成とすることができる。この構成にて、第１の回動操作体の回動位置に応じて突出させる被係合部を適切に設定し、係合部及び被係合部の係合の組み合わせを第１の回動操作体の回動位置に応じて変化させることによって、第２の回動操作体の回動操作に伴って生じるクリック感を変化させることができる。なお、クリック感の変化とは、第２の回動操作体の一定回動量につき生じる「カチ、カチ」という音の数の変化、又は回動操作の際に生じる振動の大きさの変化等をいう。
【００２２】
また例えば、複数の被係合部が一の係合部に対して出没する構成とすることができる。この構成にて、係合部の凹部又は凸部に対する各被係合部の突出位置を適切に設定し、各被係合部が係合部の凹部又は凸部に係合されるタイミングをずらすと共に、第１の回動操作体の回動位置に応じて係合部へ突出される被係合部の数を変化させることによって、第２の回動操作体の回動操作に伴って生じるクリック感を変化させることができる。なお、複数の被係合部のうちの１つの係合部は、常に被係合部に係合された状態であってもよい。
【００２３】
また、本発明においては、第１の回動操作体に同軸に筒体を連設し、第２の回動操作体の軸体及び被係合部等をこの筒体内に配設する。また、筒体内には被係合部を出没可能に保持する保持部を配設し、筒体の内周面に形成した突起部が、例えば被係合部を軸体へ向けて押し出すことによって、被係合部を係合部へ突出させる構成とする。筒体の内周面の適切な位置に突起部を形成しておくことによって、第１の回動操作体の回動位置に応じて適切な被係合部を突出させることができ、係合部及び被係合部を係合させて適切なクリック感を発生させることができる。
【００２４】
また、本発明においては、被係合部を没入方向へ付勢しておくことにより、被係合部の没入を確実に行って、係合部及び被係合部の係合の解除を確実に行う。これにより、例えば上述のように第１の回動操作体に同軸に連設された筒体の内周面に形成した突起部が被係合部を押し出す構成のときに、第１の回動操作体に対する回動操作によって突起部が被係合部を押し出さない位置へ筒体が回動された場合、被係合部が付勢されていなければ、係合部及び被係合部の係合が維持される虞があるが、このような状態が生じることを回避できる。
【００２５】
また、本発明においては、第２の回動操作体の回動を検知する回動検知手段を設ける。操作装置において、ユーザの第２の回動操作体に対する回動操作を受け付けるためには、このような回動検知手段を設ける必要があり、例えばロータリエンコーダなどを第２の回動操作体と同軸に配設して回動を検知する構成とすることができる。
また例えば、第２の回動操作体の回動を検知するために、軸体を回動可能に保持する基板などに発光部及び受光部をそれぞれ有する複数の遮光検知手段を回動方向に所定の間隔を隔てて設け、軸体には回動に伴って発光部が発する光を順に遮光する複数の遮光部を、複数の遮光検知手段の間隔とは異なる所定の間隔で設ける構成とすることができる。これにより、軸体の複数の遮光部によって、複数の遮光検知手段がタイミングをずらして遮光されるため、遮光を検知する順により軸体の回動方向が時計回り又は反時計回りのいずれであるかを判断できる。また、遮光検知手段が遮光を検知するタイミングから、遮光が行われた数又は時間等を調べることができ、これにより回動量又は回動速度等を判断できる。遮光検知手段は例えばフォトインタラプタなどで実現できるが、これらの素子はロータリエンコーダなどの回動を検知する素子より安価且つ小型であるため、操作装置の小型化及びコスト低減等を容易に実現することができる。また、光学的に無接点で検知を行うことができるため、接点の摩耗などが生じることがなく、検知のための機構の信頼性を高めることができる。
【００２６】
また、本発明においては、第１の回動操作体に連設された筒体の回動位置を検知する回動位置検知手段を設ける。操作装置において、第１の回動操作体の回動位置を変更するユーザの回動操作を受け付けるためには、このような回動位置検知手段を設ける必要があり、例えば筒体に設けた突起などが回動位置に応じて基板上などに配された切替スイッチなどの接点を操作する構成とすることができる。
また例えば、発光部及び受光部をそれぞれ有する複数の遮光検知手段を回動方向に所定の間隔を隔てて設けると共に、筒体には複数の遮光部を所定の間隔で設け、筒体の回動位置に応じていくつかの遮光部がいくつかの遮光検知手段を遮光する構成とすることができる。複数の遮光検知手段の間隔と複数の遮光部の間隔とは、同じ間隔であってもよく、異なる間隔であってもよい。これにより、複数の遮光検知手段のいずれにて遮光が検知されたかの組み合わせにより、筒体の回動位置を判断することができる。この構成の場合、遮光検知手段の数を増すことで検知できる回動位置の数を容易に増すことができる。よって、第１の回動操作体の回動位置が多い場合であっても、操作装置を大型化することなく回動位置の検知を行うことができ、操作装置の更なる多機能化を容易に実現することができる。また、光学的に無接点で回動位置を検知できるため、検知のための機構の信頼性を高めることができる。
【発明の効果】
【００２７】
本発明による場合は、同軸に配された第１の回動操作体及び第２の回動操作体を備える構成とすることにより、操作装置を小型化することができるため、車輌のインストルメントパネルなどの小さなスペースに操作装置を配設することができる。また、第１の回動体に対する回動操作に伴って、第２の回動操作体を操作する際に生じるクリック感を変更することができる構成とすることにより、第２の回動操作体に対する回動操作の操作性を高めることができるため、操作装置の利便性を高めることができる。
【発明を実施するための最良の形態】
【００２８】
（実施の形態１）
以下、本発明をその実施の形態を示す図面に基づき具体的に説明する。図１は、本発明の実施の形態１に係る操作装置の構成を示す模式的平面図である。本実施の形態に係る操作装置は、例えば車輌に搭載されたエアコンの操作を行うためのものであり、車内の運転席周辺のインストルメントパネルなどに配設される。
【００２９】
図において１は、図示しない車輌のインストルメントパネルの外装部分であり、本実施の形態に係る操作装置は外装部分１上にモード切替スイッチ１０及びダイヤルスイッチ２０が積層して配設された外観をなしている。モード切替スイッチ１０は、平面視で略卵形をなしており、外装部分１上に配されている。モード切替スイッチ１０は、時計回り又は反時計回りに３６０°以上に亘ってユーザが回動操作することができ、一周を四等分した４つの回動位置にモード切替スイッチ１０の先細の先端部分１０ａを移動させることができる。インストルメントパネルの外装部分１には、モード切替スイッチ１０の４つの回動位置に”ＭＯＤＥ”、”ＴＥＭＰ”、”ＢＬＯＷＥＲ”及び”Ｐ−ＴＥＭＰ”の文字列が記してある。
【００３０】
ダイヤルスイッチ２０は、平面視でモード切替スイッチ１０より小さい略円形をなしており、モード切替スイッチ１０上に積層する態様で配設されている。ダイヤルスイッチ２０は、時計回り又は反時計回りに３６０°以上に亘ってユーザが回動操作することができる。また、ダイヤルスイッチ２０の回動の中心軸と、モード切替スイッチ１０の回動の中心軸とは一致しており、即ちダイヤルスイッチ２０とモード切替スイッチ１０とは同軸に配されており、それぞれ独立して回動操作を行うことができる。
【００３１】
ユーザは、例えばモード切替スイッチ１０を回動操作して先端部分１０ａを”ＭＯＤＥ”の位置へ移動させた場合、ダイヤルスイッチ２０の回動操作によってエアコンの運転モード（冷房、暖房又は送風等）の設定を行うことができる。例えばモード切替スイッチ１０を回動操作して先端部分１０ａを”ＴＥＭＰ”の位置へ移動させた場合、ダイヤルスイッチ２０の回動操作によって運転席側の温度設定を行うことができる。例えばモード切替スイッチ１０を回動操作して先端部分１０ａを”ＢＬＯＷＥＲ”の位置へ移動させた場合、ダイヤルスイッチ２０の回動操作によってエアコンの風量設定を行うことができる。例えばモード切替スイッチ１０を回動操作して先端部分１０ａを”Ｐ−ＴＥＭＰ”の位置へ移動させた場合、ダイヤルスイッチ２０の回動操作によって助手席側の温度設定を行うことができる。
【００３２】
本発明に係る操作装置は、ダイヤルスイッチ２０の回動操作に伴ってクリック感（「カチ、カチ」という音及び振動等）を発生させるが、後述の構成により、モード切替スイッチ１０の回動位置が”ＭＯＤＥ”及び”ＢＬＯＷＥＲ”の場合と、”ＴＥＭＰ”及び”Ｐ−ＴＥＭＰ”の場合とでクリック感を変化させることができる。例えば操作装置は、モード切替スイッチ１０の回動位置が”ＭＯＤＥ”及び”ＢＬＯＷＥＲ”の場合にはダイヤルスイッチ２０の１回転につき１２回のクリック感を発生させ、回動位置が”ＴＥＭＰ”及び”Ｐ−ＴＥＭＰ”の場合には２４回のクリック感を発生させる。
【００３３】
図２は、本発明の実施の形態に係る操作装置の構成を示す模式的側断面図である。本実施の形態に係る操作装置を構成する種々の部品は、車輌のインストルメントパネル内に配される基板５０上に組み立てられて配設されている。基板５０には、ダイヤルスイッチ２０を回動可能に支持する支持台３０と、モード切替スイッチ１０を回動可能に支持するベース筒４０とが不動に固定されている。また、基板５０には、ダイヤルスイッチ２０の回動を検知する回動検知手段として複数のフォトインタラプタ５１が配設され、モード切替スイッチ１０の回動位置を検知する回動位置検知手段として複数のフォトインタラプタ５２が配設されている。基板５０には、フォトインタラプタ５１、５２及びその他の電気部品（図示は省略する）により電気回路が構成され、操作装置に与えられたユーザの回動操作を電気信号に変換してエアコンの制御処理など種々の処理を行うことができるようにしてある。
【００３４】
ダイヤルスイッチ２０には、ダイヤルスイッチ２０より径の小さい略円柱形の回動軸２１が同軸に固定されている。回動軸２１は、モード切替スイッチ１０に形成された貫通孔を通して、基板５０に固定された支持台３０に回動可能に支持されている。即ち、ダイヤルスイッチ２０は、回動軸２１を介して支持台３０に回動可能に支持されている。
【００３５】
支持台３０は、回動軸２１と同じ径又は若干大きい径の略円柱形をなしている。支持台３０の上側端面（基板５０に固定された端面の反対面）には、縁部分の一周に亘って円環状の突起部３１が形成されており、突起部３１に回動軸２１の下側端面（ダイヤルスイッチ２０に固定された端面の反対面）が当接した状態で、支持台３０が回動軸２１及びダイヤルスイッチ２０を支持する。
【００３６】
回動軸２１の下側端部には、支持台３０の鍔部３２より径が大きい円筒状をなし、開口の縁部分を内側へ向けて爪状に形成した係止部２２が設けてある。支持台３０の周面には上側端部近傍に突起を一周に亘って形成した鍔部３２が設けてある。これらにより、支持台３０の突起部３１に回動軸２１の下側端面を当接させた場合に、回動軸２１の係止部２２が支持台３０の鍔部３２を係止し、ダイヤルスイッチ２０及び回動軸２１が支持台３０から外れることを防止している。
【００３７】
回動軸２１の下側端部には、係止部２２より外側に、一周に亘って複数の遮光部２３が設けられている。各遮光部２３は、略矩形をなし、回動軸２１の下側端部から下方へ延出して設けられている。また、複数の遮光部２３は全て略同じ形状であり、回動軸２１の周方向に略等間隔で並べて設けられている。複数の遮光部２３は、基板５０に設けられたフォトインタラプタ５１と組み合わせて用いられ、これによりダイヤルスイッチ２０の回動検知を行うことができる。
【００３８】
回動軸２１の周面には、軸方向の中途部分に、複数の凹部又は凸部が周設された構成の第１クリック面２５及び第２クリック面２６が軸方向に並べて形成されている。第１クリック面２５は、回動軸２１の上側（ダイヤルスイッチ２０側）寄りに形成されており、回動軸２１の一周に亘って２４個の凹部又は凸部が並べて設けられている。第２クリック面２６は、回動軸２１の下側（支持台３０側）寄りに形成されており、回動軸２１の一周に亘って１２個の凹部又は凸部が並べて設けられている。
【００３９】
また、基板５０に固定されたベース筒４０は、略円筒形をなしている。ベース筒４０の内径は、基板５０に固定された場合に回動筒２１、支持台３０及びフォトインタラプタ５１等を内側に収めることができる大きさである。ベース筒４０の外周面には段差が形成されており、下端側（基板５０に固定された側）の外径が大きく、上端側の外径が小さい。
【００４０】
ベース筒４０の外径が小さい上端側の部分には、内周面から中心へ向けて突出する態様で、円筒状の第１保持部４１及び第２保持部４２が形成されており、第１保持部４１及び第２保持部４２は、回動軸２１の第１クリック面２５及び第２クリック面２６に係合される被係合部材６０を、それぞれベース筒４０の直径方向に移動可能に保持する。第１保持部４１及び第２保持部４２は、ベース筒４０の内から外へ貫通する貫通孔を有しており、貫通孔の内側（ベース筒４０の中心側）の開口は外側より径が若干小さい。また、第１保持部４１は第２保持部４２よりベース筒４０の上端側に形成されており、第１保持部４１の突出端が回動軸２１の第１クリック面２５に対向し、第２保持部４２の突出端が第２クリック面２６に対向するようにしてある。
【００４１】
被係合部材６０は、ケース部６１、被係合棒６２及びコイルバネ６３を備えて構成されている。ケース部６１は、有底円筒形をなしており、第１保持部４１及び第２保持部４２の貫通孔内にベース筒４０の直径方向に移動可能にそれぞれ収容されると共に、第１保持部４１及び第２保持部４２の貫通孔内にそれぞれ収容されたコイルバネ４３によりベース筒４０の外側へ向けて付勢されている。被係合棒６２は、ケース部６１の軸方向（ベース筒４０の直径方向）に移動可能に、ケース部６１内に収容されており、ケース部６１内に収容されたコイルバネ６３によりケース部６１の開口から外側（ベース筒４０の内側）へ付勢されている。ただし、被係合棒６２は、先端の一部分のみがケース部６１の開口から外側へ突出するように、ケース部６１内で係止されており、ケース部６１の開口から被係合棒６２の突出量は制限されている。被係合部材６０のケース部６１がコイルバネ４３の付勢に逆らってベース筒４０の内側へ移動され、コイルバネ６３の付勢により被係合棒６２がケース部６１から突出した場合、被係合棒６１の先端部分が第１クリック面２５又は第２クリック面２６の凹部又は凸部に接し、被係合棒６１は第１クリック面２５又は第２クリック面２６に係合される。
【００４２】
また、モード切替スイッチ１０には、略円筒型の回動筒１１が固定されている。回動筒１１の中心軸（回動軸）は、モード切替スイッチ１０の回動軸に一致し、回動筒１１はインストルメントパネルの外装部分１に形成された貫通孔を通して、基板５０に固定されたベース筒４０に回動可能に支持されている。回動筒１１の内径はベース筒４０の上端側の外径に略等しく、回動筒１１はベース筒４０の外径が小さい部分に外嵌して、回動可能にベース筒４０に支持される。
【００４３】
回動筒１１の外周面には、回動筒１１の外側且つ下側へ延出した断面略Ｌ字形の遮光部１２が、回動筒１１の周方向に所定間隔を隔てて複数設けられている。回動筒１１に設けられた遮光部１２は、回動軸２１に設けられた遮光部２３と同様の形状である。また基板５０には、ベース筒４０の周囲の所定位置に複数のフォトインタラプタ５２が配設されている。回動筒１１に設けられた複数の遮光部１２は、基板５０に配設された複数のフォトインタラプタ５２と組み合わせて用いられ、これによりモード切替スイッチ１０の回動位置検知を行うことができる。
【００４４】
回動筒１１の内周面には、周方向に長い第１凹所１５及び第２凹所１６が形成されていると共に、この第１凹所１５及び第２凹所１６内の適所に突起部１７及び１８（図３参照）がそれぞれ形成されている。図３は、本発明の実施の形態１に係る操作装置の構成を示す模式的平面断面図であり、（ａ）の状態に対してモード切替スイッチ１０を約９０°回動させた場合の状態が（ｂ）である。なお、図３（ａ）及び（ｂ）においては、一点鎖線を境に右半分には第１保持部４１の軸心位置における平面断面図を示し、左半分には第２保持部４２の軸心位置における平面断面図を示してある。
【００４５】
第１凹所１５は、回動筒１１の軸心方向について、回動筒１１がベース筒４０に外嵌した場合にベース筒４０の第１保持部４１が設けられた位置に形成され、且つ、第１保持部４１の内径程度の幅で回動筒１１の内周面の一周に亘って形成された溝状の凹みである。第１保持部４１に保持された被係合部材６０は、コイルバネ４３によりベース筒４０の外側へ向けて付勢されているため、ケース部６１の底部分が第１凹所１５内へ挿入される（図３（ａ）参照）。この状態では、被係合部材６０の被係合棒６２は第１保持部４１内へ没入し、被係合棒６２が第１クリック面２５に係合されることはない。
【００４６】
しかし、第１凹所１５には、回動筒１１の中心を間にして相対する２つの位置に突起部１７がそれぞれ形成してあり、モード切替スイッチ１０に対する回動操作によって回動筒１１が回動し、突起部１７が第１保持部４１の位置へ移動された場合には、被係合部材６０が突起部１７により第１保持部４１内へ押し込まれてベース筒４０の中心方向へ移動し、第１保持部４１から被係合部材６０の被係合棒６２が第１クリック面２５へ突出し、被係合棒６２が第１クリック面２５に係合される（図３（ｂ）参照）。この状態にてダイヤルスイッチ２０が回動操作された場合、回動軸２１が回動し、被係合棒６２はコイルバネ６３の付勢によりケース部６１への出没を繰り返しながら第１クリック面２５の凹部又は凸部に順に係合され、回動操作を行うユーザに対してクリック感を与えることができる。
【００４７】
同様に、第２凹所１６は、回動筒１１の軸心方向について、回動筒１１がベース筒４０に外嵌した場合にベース筒４０の第２保持部４２が設けられた位置に形成され、且つ、第２保持部４２の内径程度の幅で回動筒１１の内周面の一周に亘って形成された溝状の凹みである。第２保持部４２に保持された被係合部材６０は、コイルバネ４３によりベース筒４０の外側へ向けて付勢されているため、ケース部６１の底部分が第２凹所１６内へ挿入される（図３（ｂ）参照）。この状態では、被係合部材６０の被係合棒６２は第２保持部４２内へ没入し、被係合棒６２が第２クリック面２６に係合されることはない。
【００４８】
しかし、第２凹所１６には、回動筒１１の中心を間にして相対する２つの位置に突起部１８がそれぞれ形成してあり、モード切替スイッチ１０に対する回動操作によって回動筒１１が回動し、突起部１８が第２保持部４２の位置へ移動された場合には、被係合部材６０が突起部１８により第２保持部４２内へ押し込まれてベース筒４０の中心方向へ移動し、第２保持部４２〜被係合部材６０の被係合棒６２が第２クリック面２６へ突出し、被係合棒６２が第２クリック面２６に係合される（図３（ａ）参照）。この状態にてダイヤルスイッチ２０が回動操作された場合、回動軸２１が回動し、被係合棒６２はコイルバネ６３の付勢によりケース部６１への出没を繰り返しながら第２クリック面２６の凹部又は凸部に順に係合され、回動操作を行うユーザに対してクリック感を与えることができる。
【００４９】
また、第１凹所１５の突起部１７と、第２凹所１６の突起部１８とは、回動筒１１の周方向について約９０°ずらした位置に形成してある。このため、第１保持部４１が保持する被係合部材６０の被係合棒６２が突出し、この被係合棒６２が第１クリック面２５に係合された場合には、第２保持部４２が保持する被係合部材６０の被係合棒６２は没入し、この被係合棒６２が第２クリック面２６に係合されることはない。逆に、第２保持部４２が保持する被係合部材６０の被係合棒６２が突出し、この被係合棒６２が第２クリック面２６に係合された場合には、第１保持部４１が保持する被係合部材６０の被係合棒６２は没入し、この被係合棒６２が第１クリック面２５に係合されることはない。
【００５０】
よって、モード切替スイッチ１０の回動位置に応じて、第１クリック面２５又は第２クリック面２６のいずれか一方に被係合部材６０の被係合棒６２を突出させ、各クリック面の凹部又は凸部の数に応じたダイヤルスイッチ２０の回動操作に伴うクリック感を発生させることができる。即ち、モード切替スイッチ１０の回動位置に応じて、ダイヤルスイッチ２０の回動操作に伴うクリック感を変更することができる。
【００５１】
次に、モード切替スイッチ１０の回動位置検知及びダイヤルスイッチ２０の回動検知の方法について説明する。なお、以下の説明においては、モード切替スイッチ１０を４段階で（即ち、段階的に４つの回動位置に）回動させることができる構成について説明するが、これに限るものではなく、回動位置が３つ以下又は５つ以上であっても同様の方法で回動位置の検知を行うことが可能である。
【００５２】
図４は、モード切替スイッチ１０の回動位置検知の方法を説明するための模式図であり、（ａ）〜（ｄ）にモード切替スイッチ１０の４つの回動位置での遮光部１２及びフォトインタラプタ５２の状態を模式的に示してある。また、図５は、モード切替スイッチ１０の回動位置検知の方法を説明するための図表であり、図４（ａ）〜（ｄ）の回動位置における各フォトインタラプタの出力値を表にまとめて示してある。なお、図４及び図５においては、３つの遮光部１２をそれぞれ１２ａ〜１２ｃとして区別し、同様に３つのフォトインタラプタ５２を５２ａ〜５２ｃとして区別してある。
【００５３】
基板５０には、ベース筒４０の周囲に、３つのフォトインタラプタ５２ａ〜５２ｃが配設してある。３つのフォトインタラプタ５２ａ〜５２ｃは、ベース筒４０の一周を４等分した周方向の４つの位置のうち３つの位置にそれぞれ設けてある。フォトインタラプタ５２ａ〜５２ｃは、長方形の板を２か所屈曲させた態様の略Ｕ字形をなし、内側の２つの対向面に発光部及び受光部（図示は省略する）をそれぞれ設けたものである。一面側の発光部が発した光を他面側の受光部が受光できるか否かにより、フォトインタラプタ５２ａ〜５２ｃは遮光を検知することができる。また、フォトインタラプタ５２ａ〜５２ｃは、発光部からの光が遮光された場合に"Ｈ（ハイ）"信号を出力し、発光部からの光を受光部が受光した場合に"Ｌ（ロー）"信号を出力するものとする。
【００５４】
モード切替スイッチ１０と一体に回動する回動筒１１の周面には、３つの遮光部１２ａ〜１２ｃが設けてある。３つの遮光部１２ａ〜１２ｃは、回動筒１１の一周を４等分した周方向の４つの位置のうち３つの位置にそれぞれ設けてある。３つの遮光部１２ａ〜１２ｃは、回動筒１１の下側端部から更に下方へ延び出すように設けてあり、モード切替スイッチ１０及び回動筒１１の回動に伴って、基板５０に設けられたフォトインタラプタ５２ａ〜５２ｃの発光部及び受光部の間を通って回動するようにしてある。
【００５５】
モード切替スイッチ１０が回動操作されて、回動筒１１が図４（ａ）に示す回動位置となった場合、３つの遮光部１２ａ〜１２ｃが３つのフォトインタラプタ５２ａ〜５２ｃをそれぞれ遮光するため、３つのフォトインタラプタ５２ａ〜５２ｃは”Ｈ”を出力する。
【００５６】
次いでモード切替スイッチ１０が反時計回りに９０°回動操作され、回動筒１１が図４（ｂ）に示す回動位置となった場合、遮光部１２ａがフォトインタラプタ５２ｂを遮光し、遮光部１２ｂがフォトインタラプタ５２ｃを遮光するが、フォトインタラプタ５２ａは遮光されない。このため、フォトインタラプタ５２ａは”Ｌ”を出力し、フォトインタラプタ５２ｂ及び５２ｃは”Ｈ”を出力する。
【００５７】
次いでモード切替スイッチ１０が反時計回りに９０°回動操作され、回動筒１１が図４（ｃ）に示す回動位置となった場合、遮光部１２ａがフォトインタラプタ５２ｃを遮光し、遮光部１２ｃがフォトインタラプタ５２ａを遮光するが、フォトインタラプタ５２ｂは遮光されない。このため、フォトインタラプタ５２ｂは”Ｌ”を出力し、フォトインタラプタ５２ａ及び５２ｃは”Ｈ”を出力する。
【００５８】
次いでモード切替スイッチ１０が反時計回りに９０°回動操作され、回動筒１１が図４（ｄ）に示す回動位置となった場合、遮光部１２ｂがフォトインタラプタ５２ａを遮光し、遮光部１２ｃがフォトインタラプタ５２ｂを遮光するが、フォトインタラプタ５２ｃは遮光されない。このため、フォトインタラプタ５２ｃは”Ｌ”を出力し、フォトインタラプタ５２ａ及び５２ｂは”Ｈ”を出力する。
【００５９】
以上により、モード切替スイッチ１０の４つの回動位置において、３つのフォトインタラプタ５２ａ〜５２ｃが出力する信号”Ｈ”又は”Ｌ”の組み合わせが全て異なることから、操作装置は出力信号の組み合わせを調べることによってモード切替スイッチ１０の回動位置を検知することができる。出力信号の組み合わせの判断は、基板５０に搭載された制御回路などで行う。
【００６０】
図６は、回動軸２１の構成を示す模式的側面図である。ダイヤルスイッチ２０と一体に回動する回動軸２１の下側端部には、複数の遮光部２３が更に下方へ延び出すように、回動軸２１の周方向に沿って等間隔に設けてある。また、基板５０には、２つのフォトインタラプタ５１が支持台３０を間にして相対する位置にそれぞれ配設してある。回動軸２１に設けられた複数の遮光部２３は、ダイヤルスイッチ２０及び回動軸の回動に伴って、基板５０に設けられたフォトインタラプタ５１の発光部及び受光部の間を通って回動するようにしてある。なお、フォトインタラプタ５１は、フォトインタラプタ５２と同様の構成であり、発光部からの光を受光部が受光できるか否かにより遮光を検知でき、遮光された場合に"Ｈ"信号を出力し、遮光されない場合に"Ｌ"信号を出力する。
【００６１】
ここで、２つのフォトインタラプタ５１の間の距離と、隣り合う２つの遮光部２３の間の距離とは、異なる距離である必要がある。また、２つのフォトインタラプタ５１の間の距離が隣り合う２つの遮光部２３の間の距離の整数倍であってはならない。即ち、２つのフォトインタラプタ５１が同じタイミングで遮光されることがないように、２つのフォトインタラプタ５１の間の距離と、隣り合う２つの遮光部２３の間の距離とを調整する必要がある。
【００６２】
図７乃至図９は、ダイヤルスイッチ２０の回動検知の方法を説明するための模式図であり、図７にダイヤルスイッチ２０を時計回りに回動させた場合の遮光部２３及びフォトインタラプタ５１の状態を（ａ）〜（ｅ）の順で時系列に示し、図８にダイヤルスイッチ２０を反時計回りに回動させた場合の遮光部２３及びフォトインタラプタ５１の状態を（ａ）〜（ｅ）の順で時系列に示す。また、２つのフォトインタラプタ５１の出力信号を図９に示し、図９（ａ）がダイヤルスイッチ２０を時計回りに回動させた場合であり、図９（ｂ）がダイヤルスイッチ２０を反時計回りに回動させた場合である。なお、図７乃至図９においては、２つのフォトインタラプタ５１をそれぞれ５１ａ及び５１ｂとして区別してある。
【００６３】
２つのフォトインタラプタ５１ａ及び５１ｂが共に遮光されていない状態から、ダイヤルスイッチ２０が時計回りに回動された場合、フォトインタラプタ５１ａが先に遮光され、その後にフォトインタラプタ５１ｂが遮光される（図７（ａ）〜（ｅ）参照）。これに対して、２つのフォトインタラプタ５１ａ及び５１ｂが共に遮光されていない状態から、ダイヤルスイッチ２０が反時計回りに回動された場合、フォトインタラプタ５１ｂが先に遮光され、その後にフォトインタラプタ５１ａが遮光される（図８（ａ）〜（ｅ）参照）。
【００６４】
２つのフォトインタラプタ５１ａ及び５１ｂが出力する信号を比較すると、ダイヤルスイッチ２０を時計回りに回動させた場合には（図９（ａ）参照）、フォトインタラプタ５１ａが出力する信号が先に"Ｈ"に変化して、その後にフォトインタラプタ５１ｂが出力する信号が"Ｈ"に変化する。これに対して、ダイヤルスイッチ２０を反時計回りに回動させた場合には（図９（ｂ）参照）、フォトインタラプタ５１ｂが出力する信号が先に"Ｈ"に変化して、その後にフォトインタラプタ５１ａが出力する信号が"Ｈ"に変化する。 
【００６５】
よって、２つのフォトインタラプタ５１ａ及び５１ｂが出力する信号が"Ｌ"から"Ｈ"へ（又は"Ｈ"から"Ｌ"へ）変化するタイミングを調べることによって、ダイヤルスイッチ２０の回動方向を検知することができる。また、フォトインタラプタ５１ａ及び５１ｂが出力する信号の変化の間隔を調べることによって、ダイヤルスイッチ２０の回動速度を検知することもできる。２つのフォトインタラプタ５１ａ及び５１ｂの出力信号の変化のタイミング及び変化の間隔等の判断は、基板５０に搭載された制御回路などで行う。
【００６６】
以上の構成の実施の形態１に係る操作装置においては、ダイヤルスイッチ２０に同軸に連設された回動軸２１に、異なる数の凹部又は凸部をそれぞれ有する第１クリック面２５及び第２クリック面２６を軸方向に並設すると共に、出没可能に設けられた２つの被係合部材６０の被係合棒６２の一方を、モード切替スイッチ１０の回動位置に応じて第１クリック面２５又は第２クリック面２６へ突出させる、即ちモード切替スイッチ１０の回動位置に応じて係合するクリック面及び被係合棒６２の組み合わせを変化させる。これにより、ダイヤルスイッチ２０を回動操作した場合に生じるクリック感がモード切替スイッチ１０の回動位置に応じて変化するため、ダイヤルスイッチ２０に対する回動操作の操作性を高めることができ、操作装置の利便性を高めることができる。
【００６７】
また、ベース筒４０の第１保持部４１及び第２保持部４２にて被係合部材６０を第１クリック面２５及び第２クリック面２６に対してそれぞれ出没可能に保持し、モード切替スイッチ１０に連設された回動筒１０の突起部１７又は１８が第１保持部４１又は第２保持部４２に保持された被係合部材６０を突出させる構成である。上述の実施の形態ではモード切替スイッチ１０の回動位置に応じて２種のクリック感を切り替えて発生させる構成であるが、３種以上のクリック感を切り替えて発生させる場合には、異なる形状の３つ以上のクリック面を回動軸２１に並設すると共に、３つ以上の被係合部材６０を回動筒１１の回動位置に応じて出没させる構成とすればよい。よって、本発明に係る操作装置は、モード切替スイッチ１０の回動位置を増してクリック感の変更を多段階で行うことが容易である。
【００６８】
また、第１保持部４１及び第２保持部４２が、被係合部材６０を第１クリック面２５又は第２クリック面２６から隔離させる方向（没入方向）に付勢するコイルバネ４３を備える構成とすることにより、第１クリック面２５又は第２クリック面２６と被係合部材６０の被係合棒６２との係合を確実に解除することができる。
【００６９】
また、ダイヤルスイッチ２０の回動検知を回動軸２１に設けた遮光部２３及び基板５０に設けたフォトインタラプタ５１を用いて行い、また、モード切替スイッチ１０の回動位置検知を回動筒１１に設けた遮光部１２及び基板５０に設けたフォトインタラプタ５２を用いて行う構成とすることにより、小型且つ安価な素子による検知をおこなうことができるため、操作装置の小型化及びコスト低減を実現することができる。また、フォトインタラプタ５１、５２を用いることで光学的に無接点で検知を行うことができるため、接点の摩耗などが生じることがなく、検知のための機構の信頼性を高めることができる。
【００７０】
なお、本実施の形態においては、第１保持部４１及び第２保持部４２が被係合部材６０を付勢するコイルバネ４３を備える構成としたが、これに限るものではなく、コイルバネ４３を備えない構成であってもよい。また、図３に示すように、突起部１７、１８は、回動筒１１の内周面の相対する位置に２つずつ設ける構成としたが、これに限るものではなく、被係合部材６０を突出させる突起部の位置はモード切替スイッチ１０による切り替えを行う数、及びクリック感を変更させる数等に応じて適宜に位置決めすればよい。また、第１クリック面２５に２４個の凹部又は凸部を形成し、第２クリック面２６に１２個の凹部又は凸部を形成する構成としたが、凹部又は凸部の数は一例であってこれに限るものではない。また、モード切替スイッチ１０の回動位置を検知するために３つの遮光部１２及びフォトインタラプタ５２を用いる構成としたが、これに限るものではなく、遮光部１２及びフォトインタラプタ５２が２つであっても回動位置の検知を行うことができる。
【００７１】
（変形例１）
図１０は、本発明の実施の形態１の変形例１に係る操作装置の構成を示す模式的平面図である。上述の実施の形態１においては操作装置のモード切替スイッチ１０の形状を略卵形（図１参照）としたが、これに限るものではない。例えば、変形例１に係る操作装置のモード切替スイッチ１１０は、ダイヤルスイッチ２０より大きい略円形をなしている。またモード切替スイッチ１１０には、上面の周縁部分に回動位置を示すためのマーク１１０ａが設けてあり、ユーザはマーク１１０ａが”ＭＯＤＥ”、”ＴＥＭＰ”、”ＢＬＯＷＥＲ”及び”Ｐ−ＴＥＭＰ”の文字列の位置となるようにモード切替スイッチ１１０を回動操作すればよい。このように、モード切替スイッチの形状は種々の形状とすることができるが、ユーザが回動位置を認識することができる形状とするか、マーク１１０ａなどを設けることが望ましい。
【００７２】
（変形例２）
図１１は、本発明の実施の形態１の変形例２に係る操作装置の構成を示す模式的側断面図である。上述の実施の形態１においては、ダイヤルスイッチ２０の回動検知及びモード切替スイッチ１０の回動位置の検知を、遮光部２３、１２及びフォトインタラプタ５１、５２を用いて行う構成（図７〜図９参照）としたが、これに限るものではない。例えば、変形例２に係る操作装置は、ダイヤルスイッチ２０の回動を検知するロータリエンコーダ１５１を備えている。ロータリエンコーダ１５１は、円柱状又は円筒状をなし、ダイヤルスイッチ２０及び回動軸１２１と同軸に基板５０に配されている。ロータリエンコーダ１５１は、回動軸１２１に固定された回転子と、基板５０に固定されて回転子を回動可能に支持する支持部とを有しており、回転子の回転に応じた電気信号を出力する素子である。これにより、ユーザがダイヤルスイッチ２０を回動操作した場合、回動軸１２１と共にロータリエンコーダ１５１の回転子が回転して電気信号が出力されるため、操作装置はダイヤルスイッチ２０の回動を検知することができる。
【００７３】
また、変形例２に係る操作装置は、モード切替スイッチ１０の回転位置を検出するための切替検知素子１５２を複数備えている。切替検知素子１５２は立方体上の本体部に揺動可能に支持された棒状の検知軸を有しており、この検知軸は本体部に内蔵されたばねなどの部材により付勢される基準位置を中心に両側へ揺動させることができ、検知軸が基準位置にあるか又は揺動されているかに応じて切替検知素子１５２は切り替えを検知する。複数の切替検知素子１５２は、ベース筒４０の周囲の所定位置（図４に示したフォトインタラプタ５２と同じ位置であってよい）に配設されている。
【００７４】
回動筒１１の外周面には、回動筒１１の外側且つ下側へ延出した断面略Ｌ字形の切替部１１２が、回動筒１１の周方向に所定間隔を隔てて複数設けられている（切替部１１２の形状及び配置等は、図４に示した遮光部１２と同じであってよい）。モード切替スイッチ１０が回動操作された場合に、回動筒１１に設けられたいくつかの切替部１１２が、基板５０に配されたいくつかの切替検知素子１５２の検知棒を揺動させる構成とすることによって、各切替検知素子１５２の検知棒の状態を取得し、複数の検知棒の状態の組み合わせを調べることによって、操作装置はモード切替スイッチ１０の回動位置を検知することができる。
【００７５】
また、変形例２に係る操作装置は、被係合部材１６０を保持する第１保持部１４１及び第２保持部１４２が、コイルバネ４３を有しない構成である。この構成の場合、突起部１７又は１８により押し込まれて第１クリック面２５又は第２クリック面２６に突出した被係合部材１６０は、突起部１７又は１８による押し込みが解除されても元の位置へ戻らない。しかし、ユーザのダイヤルスイッチ２０の回動操作により回動軸１２１が回動する際に、第１クリック面２５又は第２クリック面２６の凹部又は凸部により被係合部１６０が押し返されて第１保持部１４１又は第２保持部１４２内へ没入し、クリック感を発生させないため、コイルバネ４３を有しない構成とすることも可能である。
【００７６】
（実施の形態２）
図１２は、本発明の実施の形態２に係る操作装置の構成を示す模式的側断面図である。実施の形態１に係る操作装置は第１クリック面２５及び第２クリック面２６の２つのクリック面を有する構成であるが、実施の形態２に係る操作装置は１つのクリック面２２５を有するのみの構成である。実施の形態２に係る操作装置が有するクリック面２２５は、ダイヤルスイッチ２０に連設される回動軸２２１の一周に亘って１２個の凹部又は凸部が形成されている。また、ベース筒４０の第１保持部１４１及び第２保持部１４２は軸方向に関して異なる位置に、即ち軸方向にずらして設けられており、クリック面２２５は第１保持部１４１及び第２保持部１４２に保持された被係合部材１６０の被係合棒６２に係合可能なように、回動軸２２１の軸方向に十分な長さで形成してある。
【００７７】
また、実施の形態１に係る操作装置は回動筒１１の内周面に第１凹所１５及び第２凹所１６の２つの凹所が形成された構成であるが、実施の形態２に係る操作装置は回動筒２１１の内周面に１つの凹所２１５のみが形成された構成である。図１３は、本発明の実施の形態２に係る操作装置の構成を示す模式的平面図であり、（ａ）の状態に対してモード切替スイッチ１０を約９０°回動させた場合の状態が（ｂ）である。なお、図１３（ａ）及び（ｂ）においては、一点鎖線を境に右半分には第１保持部１４１の軸心位置における平面断面図を示し、左半分には第２保持部１４２の軸心位置における平面断面図を示してある。
【００７８】
凹所２１５は、回動筒２１１の軸心方向について、回動筒２１１がベース筒４０に外嵌した場合にベース筒４０の第１保持部１４１が設けられた位置に、回動筒２１１の内周面の一周に亘って形成されている。また、凹所２１５内には、回動筒２１１の中心を間にして相対する２つの位置に突起部１７がそれぞれ形成してあり、モード切替スイッチ１０及び回動筒２１１の回動位置に応じて突起部１７が第１保持部１４１に保持された被係合部材１６０を押し込んでクリック面２２５へ突出させることができる。第２保持部１４２が設けられた位置については、回動筒２１１の内周面に凹所が設けられておらず、第２保持部１４２に保持された被係合部材１６０の被係合棒６２はクリック面２２５に係合された状態で維持され、係合が解除されることない。よって、第２保持部１４２に保持された被係合棒６２及びクリック面２２５によるクリック感の発生は常に行われる。
【００７９】
ここで、第１保持部１４１及び第２保持部１４２は、図３に示す実施の形態１の操作装置ようにベース筒４０の中心を間に相対する位置に設けられるのではなく、相対する位置からベース筒４０の周方向に関して若干ずらした位置に設けられている。具体的には、クリック面２２５に１２個の凹部又は凸部が設けられている場合、相対する位置から３６０°÷２４＝１５°だけずらした位置である。これはクリック面２２５に設けられた凹部又は凸部の半個分に相当し、第１保持部１４１及び第２保持部１４２が保持する２つの被係合部材１６０の係合棒６２が共にクリック面２２５に係合された場合に、２つの係合棒６２は交互にクリック感を発生させることができる。
【００８０】
これらより、第１保持部１４１の被係合部材１６０の被係合棒６２がクリック面２２５に係合された場合には、第１保持部１４１及び第２保持部１４２の２つの被係合部材１６０の被係合棒６２が共に係合されて交互にクリック感を発生させるため、ダイヤルスイッチ２０の一回転につき２４回のクリック感を発生させることができる。これに対して、突起部１７が第１保持部１４１の被係合部材１６０を押し込まず、被係合棒６２がクリック面２２５に係合されない場合には、第２保持部１４２の被係合部材１６０の被係合棒６２のみがクリック面２２５に係合されてクリック感を発生させるため、ダイヤルスイッチ２０の一回転につき１２回のクリック感を発生させることができる。
【００８１】
以上の構成の実施の形態２に係る操作装置は、モード切替スイッチ１０の回動位置に応じて回動筒２１１の突起部１７が第１保持部１４１の被係合部材１６０を出没させて被係合棒６２をクリック面２２５に出没させ、第２保持部１４２の被係合部材１６０の被係合棒６２は常にクリック面２２５に係合された状態とすると共に、第１保持部１４１及び第２保持部１４２が保持する被係合部材１６０の被係合棒６２が共にクリック面２２５に係合された場合に交互にクリック感を発生させる。この構成とすることにより、実施の形態１に係る操作装置と同様に、モード切替スイッチ１０の回動位置に応じてダイヤルスイッチ２０を回動操作した際に生じるクリック感を変更することができ、ダイヤルスイッチ２０の回動操作の操作性を高めることができる。またこの構成において、更に第２保持部１４２に被係合部材１６０を接着するなどして固定した場合には、第１保持部１４１及び第２保持部１４２をベース筒４０の軸方向に関して同じ位置に設けることができるため、操作装置を小型化することができる。
【００８２】
なお、図１２及び図１３に示した実施の形態２に係る操作装置は、第１保持部１４１及び第２保持部１４２が被係合部材１６０を付勢するコイルバネ４３を有しない構成としたが、これに限るものではなく、実施の形態１の操作装置と同様に第１保持部１４１及び第２保持部１４２がコイルバネ４３を有する構成としてもよい。また、第１保持部１４１及び第２保持部１４２は、相対する位置に対して所定角度ずらした位置に設ける構成としたが、これに限るものではなく、クリック面２２５に形成された凹部又は凸部の数が奇数の場合には、第１保持部１４１及び第２保持部１４２を相対する位置に設けることで各保持部が保持する被係合部材１６０の被係合棒６２が交互にクリック感を発生させることができる。
【００８３】
なお、実施の形態２に係る操作装置のその他の構成は、実施の形態１に係る操作装置の構成と同様であるため、同様の箇所には同じ符号を付して詳細な説明を省略する。
【図面の簡単な説明】
【００８４】
【図１】本発明の実施の形態１に係る操作装置の構成を示す模式的平面図である。
【図２】本発明の実施の形態に係る操作装置の構成を示す模式的側断面図である。
【図３】本発明の実施の形態１に係る操作装置の構成を示す模式的平面断面図である。
【図４】モード切替スイッチの回動位置検知の方法を説明するための模式図である。
【図５】モード切替スイッチの回動位置検知の方法を説明するための図表である。
【図６】回動軸の構成を示す模式的側面図である。
【図７】ダイヤルスイッチの回動検知の方法を説明するための模式図である。
【図８】ダイヤルスイッチの回動検知の方法を説明するための模式図である。
【図９】ダイヤルスイッチの回動検知の方法を説明するための模式図である。
【図１０】本発明の実施の形態１の変形例１に係る操作装置の構成を示す模式的平面図である。
【図１１】本発明の実施の形態１の変形例２に係る操作装置の構成を示す模式的側断面図である。
【図１２】本発明の実施の形態２に係る操作装置の構成を示す模式的側断面図である。
【図１３】本発明の実施の形態２に係る操作装置の構成を示す模式的平面図である。
【符号の説明】
【００８５】
１  外装部分
１０  モード切替スイッチ（第１の回動操作体）
１１  回動筒（筒体）
１２、１２ａ、１２ｂ、１２ｃ  遮光部（回動位置検知手段）
１５  第１凹所
１６  第２凹所
１７、１８  突起部
２０  ダイヤルスイッチ（第２の回動操作体）
２１  回動軸（軸体）
２３  遮光部（回動検知手段）
２５  第１クリック面（係合部）
２６  第２クリック面（係合部）
３０  支持台
４０  ベース筒
４１  第１保持部（保持部）
４２  第２保持部（保持部）
４３  コイルバネ（付勢手段）
５０  基板
５１、５１ａ、５１ｂ、５１ｃ  フォトインタラプタ（回動検知手段、遮光検知手段）
５２、５２ａ、５２ｂ、５２ｃ  フォトインタラプタ（回動位置検知手段、遮光検知手段）
６０  被係合部材（被係合部）
６１  ケース部
６２  被係合棒
６３  コイルバネ
１１０  モード切替スイッチ（第１の回動操作体）
１１２  切替部（回動位置検知手段）
１２１  回動軸（軸体）
１４１  第１保持部（保持部）
１４２  第２保持部（保持部）
１５１  ロータリエンコーダ（回動検知手段）
１５２  切替検知素子（回動位置検知手段）
１６０  被係合部材（被係合部）
２１１  回動筒（筒体）
２１５  凹所
２２１  回動軸（軸体）
２２５  クリック面（係合部）
【図１】
0005202111.tif 000002
【図２】
0005202111.tif 000003
【図３】
0005202111.tif 000004
【図４】
0005202111.tif 000005
【図５】
0005202111.tif 000006
【図６】
0005202111.tif 000007
【図７】
0005202111.tif 000008
【図８】
0005202111.tif 000009
【図９】
0005202111.tif 000010
【図１０】
0005202111.tif 000011
【図１１】
0005202111.tif 000012
【図１２】
0005202111.tif 000013
【図１３】
0005202111.tif 000014